(57)【特許請求の範囲】
【請求項１】
主光源と、
演出灯と、
前記主光源および前記演出灯の点灯を制御する点灯制御部と、
前記演出灯の光色を選択可能な光色選択モードと、前記演出灯の光色を、自動で、周期的に変化させる自動変化モードと、を切換える演出灯ボタンと、
前記光色選択モードが選択されている期間における前記演出灯の光色と、前記自動変化モードが選択されている期間における前記演出灯の光色の循環周期と、を調整する調整ボタンと、
を有する照明器具であって、
前記点灯制御部は、
前記演出灯ボタンが押下されると、前記照明器具の動作モードを、前記光色選択モードと、前記自動変化モードと、に切換え、
前記光色選択モードが選択されている期間において、前記調整ボタンの押下によって前記演出灯の光色が選択されると、前記演出灯の光色を選択された光色とし、
前記自動変化モードが選択されている期間において、前記調整ボタンの押下によって選択された前記光色の循環周期が第１の範囲にある場合には、前記光色が時間経過と共に連続的に変化するグラデーションを含まない第１のパターンで前記演出灯の光色を変化させ、前記調整ボタンの押下によって選択された前記光色の循環周期が、前記第１の範囲よりも長い第２の範囲にある場合には、前記光色が時間経過と共に連続的に変化するグラデーションを含む第２のパターンで前記演出灯の光色を変化させる、
ことを特徴とする照明器具。
【請求項２】
前記第１の範囲は、前記光色の循環周期が３秒以上５秒以内の範囲であり、
前記第２の範囲は、前記光色の循環周期が１０秒以上の選択可能範囲である、
ことを特徴とする請求項１に記載の照明器具。
【請求項３】
前記演出灯は、一組の赤色光源、緑色光源ならびに青色光源を有し、
前記第１のパターンは、
調光比０％の赤色光源、調光比０％の緑色光源、調光比１００％の青色光源により混色された青色と、
調光比０％の赤色光源、調光比１００％の緑色光源、調光比１００％の青色光源により混色された水と、
調光比０％の赤色光源、調光比１００％の緑色光源、調光比０％の青色光源により混色された緑色と、
調光比１００％の赤色光源、調光比１００％の緑色光源、調光比０％の青色光源により混色された黄と、
調光比１００％の赤色光源、調光比２０％の緑色光源、調光比０％の青色光源により混色された橙と、
調光比１００％の赤色光源、調光比０％の緑色光源、調光比０％の青色光源により混色された赤色と、
調光比１００％の赤色光源、調光比０％の緑色光源、調光比１００％の青色光源により混色された紫と、
の７色に関して、前記青色、前記水、前記緑色、前記黄、前記橙、前記赤色、前記紫の順に変化させるパターンであり、
前記第２のパターンは、
調光比０％の赤色光源、調光比０％の緑色光源、調光比１００％の青色光源により混色された青色と、
調光比０％の赤色光源、時間経過と共に調光比０％から１００％まで連続的に変化する緑色光源、調光比１００％の青色光源により混色された、グラデーションである青色水と、
調光比０％の赤色光源、調光比１００％の緑色光源、調光比１００％の青色光源により混色された水と、
調光比０％の赤色光源、調光比１００％の緑色光源、時間経過と共に調光比１００％から０％まで連続的に変化する青色光源により混色された水緑色と、
調光比０％の赤色光源、調光比１００％の緑色光源、調光比０％の青色光源により混色された緑色と、
時間経過と共に調光比０％から１００％まで変化する赤色光源、調光比１００％の緑色光源、調光比０％の青色光源により混色された緑色黄と、
調光比１００％の赤色光源、調光比１００％の緑色光源、調光比０％の青色光源により混色された黄と、
調光比１００％の赤色光源、時間経過と共に調光比１００％から２０％まで変化する緑色光源、調光比０％の青色光源により混色された黄橙と、
調光比１００％の赤色光源、調光比２０％の緑色光源、調光比０％の青色光源により混色された橙と、
調光比１００％の赤色光源、時間経過と共に調光比２０％から０％まで変化する緑色光源、調光比０％の青色光源により混色された橙赤色と、
調光比１００％の赤色光源、調光比０％の緑色光源、調光比０％の青色光源により混色された赤色と、
調光比１００％の赤色光源、調光比０％の緑色光源、時間経過と共に調光比０％から１００％まで変化する青色光源により混色された赤色紫と、
調光比１００％の赤色光源、調光比０％の緑色光源、調光比１００％の青色光源により混色された紫と、
時間経過と共に調光比１００％から０％まで変化する赤色光源、調光比０％の緑色光源、調光比１００％の青色光源により混色された紫青色と、
の１４色に関して、前記青色、前記青色水、前記水、前記水緑色、前記緑色、前記緑色黄、前記黄、前記黄橙、前記橙、前記橙赤色、前記赤色、前記赤色紫、前記紫の順に変化させるパターンである、
ことを特徴とする請求項１または請求項２に記載の照明器具。
【請求項４】
前記主光源は、環状の蛍光灯を有し、
前記演出灯は、複数個、設けられ、前記複数個の演出灯の各々は、一組の赤色ＬＥＤ、緑色ＬＥＤおよび青色ＬＥＤを有し、かつ、前記複数個の演出灯の各々は、前記環状の蛍光灯の外側に配置される、
ことを特徴とする請求項１〜３のいずれか１項に記載の照明器具。
【請求項５】
前記演出灯の明るさを選択可能な明るさ調整モードを備えることを特徴とする請求項１〜４のいずれか１項に記載の照明器具。
【発明の詳細な説明】
【技術分野】
【０００１】
本発明は、例えば住宅等の天井面に取り付けられる照明器具に関し、特にＬＥＤ光源の演出灯を有する照明器具に関する。
【背景技術】
【０００２】
本発明者らは、リモコン信号器のアップスイッチを操作することにより蛍光ランプの光出力を増加させ、リモコン信号器のダウンスイッチを操作することにより蛍光ランプの光出力を減少させるようにして調光を行う照明器具を既に提案している（例えば、特許文献１参照）。
【先行技術文献】
【特許文献】
【０００３】
【特許文献１】特開２００２−０７５６６７公報（図１、請求項１）
【発明の概要】
【発明が解決しようとする課題】
【０００４】
ところが、上記特許文献１に開示された従来の照明器具では、蛍光灯による調光を行っている。
従って、多数の光色を用いた光の演出を行うことができない。
【０００５】
本発明は、前述した課題を解決するためになされたものであり、その目的は、多数の光色を用いた光の演出を行って演出バリエーションを増やすことができる照明器具を提供することにある。
【課題を解決するための手段】
【０００６】
本発明に係る照明器具は、主光源と、演出灯と、前記主光源および前記演出灯の点灯を制御する点灯制御部と、前記演出灯の光色を選択可能な光色選択モードと、前記演出灯の光色を、自動で、周期的に変化させる自動変化モードと、を切換える演出灯ボタンと、前記光色選択モードが選択されている期間における前記演出灯の光色と、前記自動変化モードが選択されている期間における前記演出灯の光色の循環周期と、を調整する調整ボタンと、を有する照明器具であって、前記点灯制御部は、前記演出灯ボタンが押下されると、前記照明器具の動作モードを、前記光色選択モードと、前記自動変化モードと、に切換え、前記光色選択モードが選択されている期間において、前記調整ボタンの押下によって前記演出灯の光色が選択されると、前記演出灯の光色を選択された光色とし、前記自動変化モードが選択されている期間において、前記調整ボタンの押下によって選択された前記光色の循環周期が第１の範囲にある場合には、前記光色が時間経過と共に連続的に変化するグラデーションを含まない第１のパターンで前記演出灯の光色を変化させ、前記調整ボタンの押下によって選択された前記光色の循環周期が、前記第１の範囲よりも長い第２の範囲にある場合には、前記光色が時間経過と共に連続的に変化するグラデーションを含む第２のパターンで前記演出灯の光色を変化させる、ことを特徴とする。
【０００８】
本発明に係る照明器具は、  前記第１の範囲は、前記光色の循環周期が３秒以上５秒以内の範囲であり、前記第２の範囲は、前記光色の循環周期が１０秒以上の選択可能範囲である、ことを特徴とする。
【０００９】
本発明においては、人がエンターテインメント感またはリラクゼーション感を感じる変化パターンを調べた結果に基づいて、変化パターンを設定するための自動変化モードの周期に決定した。
従って、楽しい雰囲気の演出および落ち着いた雰囲気の演出を人の感性に合わせることができる。
【００１０】
本発明に係る照明器具は、前記演出灯は、一組の赤色光源、緑色光源ならびに青色光源を有し、前記第１のパターンは、調光比０％の赤色光源、調光比０％の緑色光源、調光比１００％の青色光源により混色された青色と、調光比０％の赤色光源、調光比１００％の緑色光源、調光比１００％の青色光源により混色された水と、調光比０％の赤色光源、調光比１００％の緑色光源、調光比０％の青色光源により混色された緑色と、調光比１００％の赤色光源、調光比１００％の緑色光源、調光比０％の青色光源により混色された黄と、調光比１００％の赤色光源、調光比２０％の緑色光源、調光比０％の青色光源により混色された橙と、調光比１００％の赤色光源、調光比０％の緑色光源、調光比０％の青色光源により混色された赤色と、調光比１００％の赤色光源、調光比０％の緑色光源、調光比１００％の青色光源により混色された紫と、の７色に関して、前記青色、前記水、前記緑色、前記黄、前記橙、前記赤色、前記紫の順に変化させるパターンであり、前記第２のパターンは、調光比０％の赤色光源、調光比０％の緑色光源、調光比１００％の青色光源により混色された青色と、調光比０％の赤色光源、時間経過と共に調光比０％から１００％まで連続的に変化する緑色光源、調光比１００％の青色光源により混色された、グラデーションである青色水と、調光比０％の赤色光源、調光比１００％の緑色光源、調光比１００％の青色光源により混色された水と、調光比０％の赤色光源、調光比１００％の緑色光源、時間経過と共に調光比１００％から０％まで連続的に変化する青色光源により混色された水緑色と、調光比０％の赤色光源、調光比１００％の緑色光源、調光比０％の青色光源により混色された緑色と、時間経過と共に調光比０％から１００％まで変化する赤色光源、調光比１００％の緑色光源、調光比０％の青色光源により混色された緑色黄と、調光比１００％の赤色光源、調光比１００％の緑色光源、調光比０％の青色光源により混色された黄と、調光比１００％の赤色光源、時間経過と共に調光比１００％から２０％まで変化する緑色光源、調光比０％の青色光源により混色された黄橙と、調光比１００％の赤色光源、調光比２０％の緑色光源、調光比０％の青色光源により混色された橙と、調光比１００％の赤色光源、時間経過と共に調光比２０％から０％まで変化する緑色光源、調光比０％の青色光源により混色された橙赤色と、調光比１００％の赤色光源、調光比０％の緑色光源、調光比０％の青色光源により混色された赤色と、調光比１００％の赤色光源、調光比０％の緑色光源、時間経過と共に調光比０％から１００％まで変化する青色光源により混色された赤色紫と、調光比１００％の赤色光源、調光比０％の緑色光源、調光比１００％の青色光源により混色された紫と、時間経過と共に調光比１００％から０％まで変化する赤色光源、調光比０％の緑色光源、調光比１００％の青色光源により混色された紫青色と、の１４色に関して、前記青色、前記青色水、前記水、前記水緑色、前記緑色、前記緑色黄、前記黄、前記黄橙、前記橙、前記橙赤色、前記赤色、前記赤色紫、前記紫の順に変化させるパターンである、ことを特徴とする。
【００１１】
本発明に係る照明器具は、上記構成の照明器具において、前記主光源は、環状の蛍光灯を有し、前記演出灯は、複数個、設けられ、前記複数個の演出灯の各々は、一組の赤色ＬＥＤ、緑色ＬＥＤおよび青色ＬＥＤを有し、かつ、前記複数個の演出灯の各々は、前記環状の蛍光灯の外側に配置される、ことを特徴とする。
【００１３】
本発明に係る照明器具は、前記演出灯の明るさを選択可能な明るさ調整モードを備えることを特徴とする。
【発明の効果】
【００１５】
本発明の照明器具によれば、調整ボタンが、自動変化モードである時に周期が変更された際に光色の変化パターンを切り替え可能であり、光色固定モードである時に演出灯の明るさを調整可能であり、それぞれのモードで設定した内容が記憶される。
これにより、多数の光色を用いた光の演出を行って演出バリエーションを増やすことができるという効果を有する。
【図面の簡単な説明】
【００１６】
【図１】本発明に係る一実施形態の照明器具の分解斜視図
【図２】図１に示した照明器具の垂直断面図
【図３】図１に示した照明器具に適用されるリモコン装置の平面図
【図４】図１に示した照明器具の第１パターンの制御曲線図
【図５】図１に示した照明器具の第２パターンの制御曲線図
【図６】図１に示した照明器具の制御動作を説明する前半のフローチャート
【図７】図１に示した照明器具の色自動変化モードのフローチャート
【図８】図１に示した照明器具の光色選択モードのフローチャート
【図９】図１に示した照明器具の明るさ選択モードのフローチャート
【発明を実施するための形態】
【００１７】
以下、本発明の一実施形態に係る照明器具について、図面を参照して説明する。
【００１８】
本発明の一実施形態である照明器具１０は、器具本体１１と、器具本体１１に保持されている主光源である環状の蛍光灯１２と、ＬＥＤ光源の演出灯である複数の発光部１３と、リモコン信号受光部を含む点灯制御部１４と、リモコン装置１５と、セード１６とを備えて天井面１に直接取り付けられる。
【００１９】
図１、図２に示すように、器具本体１１は、金属製で円板形状に形成されている。器具本体１１は天井面１に設けられた不図示の引っ掛けシーリングを介して天井面１に固定されている。器具本体１１は天井面１に対向する床面側に蛍光灯１２を保持している。
【００２０】
器具本体１１は、天井面１側に円環形状の透光性のある上枠１７を有し、床面側に同じく円環形状で透光性の無い下枠１８を有する。
【００２１】
発光部１３は、ＬＥＤ光源１９を実装したＬＥＤ基板２０と、ＬＥＤ光源１９からの発光を光学的に変換するための光学部材２１と、ＬＥＤ基板２０および光学部材２１を一体的に組み付けるベース部材２２とから構成されている。発光部１３は器具本体１１の外縁部において上枠１７と下枠１８との間に複数配置されている。
【００２２】
発光部１３は、RedＬＥＤとGreenＬＥＤとBlueＬＥＤであるRGBＬＥＤであり、それぞれは調光比を０％から１００％までそれぞれ変更されて給電されることにより、青色、水色、緑色、黄色、橙色、赤色、紫色の７色による混色光と、青色、青水色、水色、水緑色、緑色、緑黄色、黄色、黄橙色、橙色、橙赤色、赤色、赤紫色、紫色、紫青色の１４色による混色光と、を発光する。
【００２３】
点灯制御部１４は、器具本体１１の中央部に取り付けられている。点灯制御部１４は、外部から不図示の外部配線が引き込まれており、蛍光灯１２および発光部１３に給電を行う。点灯制御部１４は、リモコン装置１５からのリモコン信号を受光するための不図示のリモコン信号受光部を床面に向けて装備している。
【００２４】
図３に示すように、リモコン装置１５は、全灯ボタン２３と、演出灯ボタンである豆球ボタン２４と、調整ボタンである明暗ボタン２５と、消灯ボタン２６とを備える。
【００２５】
次に、照明器具１０の制御動作について説明する。
【００２６】
点灯制御部１４は、全灯ボタン２３が押下されてから、明暗ボタン２５の明ボタン２７または暗ボタン２８が押下され、最後に全灯ボタン２３が再度押下されることにより、明ボタン２７または暗ボタン２８の位置に応じた明るさで蛍光灯１２を点灯させる。
【００２７】
点灯制御部１４は、豆球ボタン２４が、１回、２回、３回と押下されるたびに、発光部１３の光色を自動で変化させる自動変化モードと、発光部１３の光色を選択可能な光色選択モード（光色固定モード）と、発光部１３の明るさを選択可能な明るさ調整モードと、を順番に切換える。
【００２８】
点灯制御部１４は、豆球ボタン２４により自動変化モードに切換えられている時に自動変化の循環周期を調整可能であり、豆球ボタン２４により光色選択モードに切換えられている時に発光部１３の光色を調整可能である。そして、点灯制御部１４は、明るさ調整モードに切換えられている時に発光部１３の明るさを調整可能である。つまり、点灯制御部１４は、発光部１３の調光を制御可能であり、それぞれのモードで設定した内容を記憶する。
【００２９】
図４に示すように、点灯制御部１４は、明暗ボタン２５により切換えられている自動変化モードの循環周期が、周期ｔ２＞周期ｔ１であって、例えば３〜５秒の短い値に変更されると第１パターン（７色切り替えパターン）を実行する。
【００３０】
第１パターンとは、調光比０％のRedＬＥＤ、調光比０％のGreenＬＥＤ、調光比１００％のBlueＬＥＤにより混色された青点と、調光比０％のRedＬＥＤ、調光比１００％のGreenＬＥＤ、調光比１００％のBlueＬＥＤにより混色された水点と、調光比０％のRedＬＥＤ、調光比１００％のGreenＬＥＤ、調光比０％のBlueＬＥＤにより混色された緑点と、調光比１００％のRedＬＥＤ、調光比１００％のGreenＬＥＤ、調光比０％のBlueＬＥＤにより混色された黄点と、調光比１００％のRedＬＥＤ、調光比２０％のGreenＬＥＤ、調光比０％のBlueＬＥＤにより混色された橙点と、調光比１００％のRedＬＥＤ、調光比０％のGreenＬＥＤ、調光比０％のBlueＬＥＤにより混色された赤点と、調光比１００％のRedＬＥＤ、調光比０％のGreenＬＥＤ、調光比１００％のBlueＬＥＤにより混色された紫点と、の７固定色を所定の循環スピードＳ内において実行することである。
【００３１】
図５に示すように、点灯制御部１４は、明暗ボタン２５により切換えられている自動変化モードの循環周期が、周期ｔ２＞周期ｔ１であって、例えば１０秒以上の長い値に変更されると第２パターン（グラデーション切り替えパターン）を実行する。
【００３２】
第２パターンとは、調光比０％のRedＬＥＤ、調光比０％のGreenＬＥＤ、調光比１００％のBlueＬＥＤにより混色された青点と、調光比０％のRedＬＥＤ、調光比１００％のGreenＬＥＤ、調光比１００％のBlueＬＥＤにより混色された水点と、調光比０％のRedＬＥＤ、調光比１００％のGreenＬＥＤ、調光比０％のBlueＬＥＤにより混色された緑点と、調光比１００％のRedＬＥＤ、調光比１００％のGreenＬＥＤ、調光比０％のBlueＬＥＤにより混色された黄点と、調光比１００％のRedＬＥＤ、調光比２０％のGreenＬＥＤ、調光比０％のBlueＬＥＤにより混色された橙点と、調光比１００％のRedＬＥＤ、調光比０％のGreenＬＥＤ、調光比０％のBlueＬＥＤにより混色された赤点と、調光比１００％のRedＬＥＤ、調光比０％のGreenＬＥＤ、調光比１００％のBlueＬＥＤにより混色された紫点と、の７固定色を所定の循環スピードＳ内において実行することである。
【００３３】
次に、照明器具１０の制御動作のうちの発光部１３の動作について説明する。
【００３４】
図６に示すように、豆球ボタン２４が１回、２回、３回と連続的に押下される際に、１回押下されることにより、発光部１３の光色を自動で変化させる自動変化モードが設定される（Ｓ１０１→Ｓ１０２→Ｓ１０３）。
【００３５】
豆球ボタン２４が２回押下されることにより、発光部１３の光色を選択可能な光色選択モードが設定される（Ｓ１０１→Ｓ１０４→Ｓ１０５）。
【００３６】
豆球ボタン２４が３回押下されることにより、発光部１３の明るさを選択可能な明るさ調整モードが設定される（Ｓ１０１→Ｓ１０６→Ｓ１０７）。
【００３７】
豆球ボタン２４の回数カウントは連続的な押下の後にリセットされる（Ｓ１０１→Ｓ１０２→Ｓ１０４→Ｓ１０６→Ｓ１０８）。
【００３８】
図７に示すように、発光部１３の光色を自動で変化させる自動変化モードに切換えられている時に、明暗ボタン２５の明ボタン２７また暗ボタン２８が押下される。このとき、明暗ボタン２５は循環周期を４段階に設定可能であり、明暗ボタン２５により自動変化の循環周期が３〜５秒に設定されると、第１パターン（図４参照）が実行される（Ｓ１０９→Ｓ１１０→Ｓ１１１）。
【００３９】
そして、第１パターンの実行後に、いずれかのボタンが押下されることにより、自動変化モードでの第１パターンが記憶される（Ｓ１１１→Ｓ１１２）。
【００４０】
発光部１３の光色を自動で変化させる自動変化モードに切換えられている時に、明暗ボタン２５の明ボタン２７また暗ボタン２８が押下される。明暗ボタン２５により自動変化の循環周期が１０秒以上に設定されると、第２パターン（図５参照）が実行される（Ｓ１０９→Ｓ１１０→Ｓ１１３→Ｓ１１４）。
【００４１】
そして、第２パターンの実行後に、いずれかのボタンが押下されることにより、自動変化モードでの第２パターンが記憶される（Ｓ１１４→Ｓ１１２）。
【００４２】
図８に示すように、発光部１３の光色を選択可能な光色選択モードに切換えられている時に、明暗ボタン２５の明ボタン２７また暗ボタン２８が押下される。明暗ボタン２５により光色が設定されると、設定された光色を発光させる（Ｓ１１５）。
【００４３】
そして、選択された光色による発光の実行後に、いずれかのボタンが押下されることにより、その光色による発光が記憶される（Ｓ１１５→Ｓ１１６）。
【００４４】
図９に示すように、発光部１３の明るさを選択可能な明るさ調整モードに切換えられている時に、明暗ボタン２５の明ボタン２７また暗ボタン２８が押下される。このとき、明暗ボタン２５は明るさを６段階に設定可能である。明るさの６段階とは、レベル１が１６％、レベル２が３３％、レベル３が５０％、レベル４が６６％、レベル５が８３％、レベル６が１００％である。明暗ボタン２５により６段階の光色のいずれかが設定されると、設定された明るさで発光させる（Ｓ１１７）。
【００４５】
そして、設定された明るさによる発光の実行後に、いずれかのボタンが押下されることにより、その明るさによる発光が記憶される（Ｓ１１７→Ｓ１１８）。
【００４６】
このように、豆球ボタン２４は、複数回押下されるたびに、各モードを順番に切換え、明暗ボタン２５が調光ボタンを代用することができる。
【００４７】
以上説明したように、本発明の一実施形態の照明器具１０では、明暗ボタン２５は、自動変化モードである時に循環周期を調整可能であり、光色固定モードである時に発光部１３の明るさを調整可能である。そして、それぞれのモードで設定した内容が記憶される。
これにより、従来のもののような蛍光灯による調光を行わず、複数の光色を用いた演出を行うことができる。
従って、演出性の向上を図ることができる。
【００４８】
本発明の一実施形態の照明器具１０では、明暗ボタン２５は、自動変化モードである時に循環周期を調整可能であって、光色固定モードである時に発光部１３の明るさを調整可能であり、調光を制御可能である。そして、それぞれのモードで設定した内容が記憶される。
これにより、従来のもののような蛍光灯による調光を行わず、複数の光色を用いた演出を行うことができ、明暗ボタン２５を調光ボタンとして代用することによりリモコン装置１５の操作用インターフェースを変更する必要がない。
従って、コスト面で有利に演出性の向上を図ることができる。
【００４９】
本発明の一実施形態の照明器具１０では、明暗ボタン２５は、自動変化モードである時に循環周期を調整可能であり、光色選択モードである時に発光部１３の光色を調整可能であり、明るさ調整モードである時に発光部１３の明るさを調整可能であり、調光を制御可能である。そして、それぞれのモードで設定した内容が記憶される。
これにより、従来のもののような蛍光灯による調光を行わず、複数の光色を用いた演出を行うことができ、明暗ボタン２５を調光ボタンとして代用することによりリモコン装置１５の操作用インターフェースを変更する必要がない。
従って、コスト面で有利に演出性の向上を図ることができる。
【００５０】
本発明の一実施形態の照明器具１０では、明暗ボタン２５により自動変化モードの周期が変更された際に、光色の変化パターンを切り替える。
これにより、光色の変化パターンに変化が加えられる。
従って、楽しい雰囲気の演出と落ち着いた雰囲気の演出とを行うことにより、演出バリエーションを増やすことができる。
【００５１】
本発明の一実施形態の照明器具１０では、明暗ボタン２５により自動変化モードの周期が短い値に変更された際に、光色の変化パターンを第１パターンに切り替え、調整ボタンにより自動変化モードの周期が長い値に変更された際に、光色の変化パターンを第２パターンに切り替える。
これにより、自動変化モードの周期時間の値に応じて第１パターンと第２パターンとに変化される。
従って、周期が短時間の際に楽しい雰囲気の演出を行い、周期が長時間の際に落ち着いた雰囲気の演出を行うことにより、演出バリエーションを増やすことができる。
【００５２】
本発明の一実施形態の照明器具１０では、人がエンターテインメント感またはリラクゼーション感を感じる変化パターンを調べた結果に基づいて、変化パターンを設定するための自動変化モードの周期に決定した。
従って、楽しい雰囲気の演出および落ち着いた雰囲気の演出を人の感性に合わせることができる。
【００５３】
本発明の一実施形態の照明器具１０では、自動変化モードで周期が変更された際の光色の変化パターンと、光色固定モードで演出灯の明るさを調整とをＬＥＤ光源１９により簡単に行うことができる。
従って、複雑な制御回路を必要とせずに、コスト面で有利に構成することができる。
【実施例】
【００５４】
以下、本発明に係る照明器具の作用効果を確認するために行った実施例について説明する。
【００５５】
（評価試験）
人が演出性のうちのエンターテインメント感またはリラクゼーション感を感じる照明とはどのようなものであろうか。これを検討するために、「複数種の光色循環パターンを用いて、どのような時にエンターテインメント感またはリラクゼーション感を感じるか」を尋ねるアンケート調査を、不特定多数を対象に行った。得られた回答の集計を表１に示す。
【００５６】
【表１】
0005322290.tif 000002
【００５７】
表１により明らかなように、点滅周期が３秒〜５秒の時にエンターテインメント感を感じると答えた回答者が８０％から９０％いた。これとは異なり、点滅周期が１０秒以上の時にリラクゼーション感を感じると答えた回答者が８０％から９０％いた。
【００５８】
この結果からわかるように、本発明の照明器具１０により、明暗ボタン２５の選択している自動変化モードの周期が例えば３〜５秒の短い値に変更された際に第１パターンを実行することにより、使用者にエンターテインメント感を付与することができる。
【００５９】
また、明暗ボタン２５の選択している自動変化モードの周期が例えば１０秒以上の長い値に変更された際に第２パターンを実行することにより、使用者にリラクゼーション感を付与することができる。
【００６０】
なお、前記実施形態で使用した器具本体１１、蛍光灯１２等は例示したものに限定するものではなく適宜変更が可能である。
【符号の説明】
【００６１】
１０  照明器具
１３  発光部（演出灯）
１９  ＬＥＤ光源
２４  豆球ボタン（演出灯ボタン）
２５  明暗ボタン（調整ボタン）
【図１】
0005322290.tif 000003
【図２】
0005322290.tif 000004
【図３】
0005322290.tif 000005
【図４】
0005322290.tif 000006
【図５】
0005322290.tif 000007
【図６】
0005322290.tif 000008
【図７】
0005322290.tif 000009
【図８】
0005322290.tif 000010
【図９】
0005322290.tif 000011